Podtech/llm-jp-corpus-v4-ja_patent huggingface dataset:
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
遊技媒体を貯留する貯留領域を有する上皿と、操作ユニットを備えた遊技機であって、
前記操作ユニットは、所定の軸線まわりに回転操作可能で前記所定の軸線方向への押圧移動操作はされない円環形状部を有する回転操作部と、前記所定の軸線を含む位置に設けられて回転操作不能な非回転部を含み、
前記回転操作部を前記所定の軸線方向から見たときの前記回転操作部の外周縁の最大幅は、前記貯留領域の前後方向の最大寸法よりも大きいとされており、
前記回転操作部の操作を要求する要求演出を実行可能であり、
前記回転操作部を所定の方向へ回転させたとき、当該所定の方向とは反対の回転方向への力の付与が可能であり、
前記所定の方向とは反対の回転方向への力の付与とは別に、振動を発生させることが可能であり、
前記所定の方向とは反対の回転方向への力の付与と前記振動の発生は異なる手段で行われ、
前記回転操作部を前記所定の軸線方向から見たときの前記回転操作部の面に、途切れることなく同一態様の装飾だけが施されており、前記回転操作部は、前記外周縁に連続してその裏側に遊技者の手が届く空間が形成されているところに外周裏側部が位置し、
前記回転操作部の前記外周縁と隣接した位置であって前記遊技機を正面視して該回転操作部の奥側の所定位置に前記回転操作部とは別パーツの特定部材が配置されていることにより、該外周裏側部のうち該回転操作部と該特定部材とが隣接する部分は該回転操作部と該特定部材とが隣接していない部分よりも遊技者の手が触れにくくなっており、
遊技者が前記非回転部に触れているか否かにかかわらず前記外周裏側部および前記非回転部に前記振動が伝わるものであり、
前記非回転部は、前記回転操作部を前記所定の軸線方向からみたときに、前記回転操作部よりも手前側にある手前側非回転部と前記回転操作部よりも奥側にある奥側非回転部とがあり、前記所定の軸線方向において前記奥側非回転部の長さが前記手前側非回転部の長さよりも長い
ことを特徴とする遊技機。
【手続補正２】
【補正対象書類名】明細書
【補正対象項目名】０００４
【補正方法】変更
【補正の内容】
【０００４】
しかしながら、このような遊戯機においては、上皿および下皿近傍により好適なものが構成されることが求められている。
【手続補正３】
【補正対象書類名】明細書
【補正対象項目名】０００６
【補正方法】変更
【補正の内容】
【０００６】
本発明は、上皿および下皿近傍に関してより好適な構成を提案するものである。
【手続補正４】
【補正対象書類名】明細書
【補正対象項目名】０００７
【補正方法】変更
【補正の内容】
【０００７】
本発明は、
遊技媒体を貯留する貯留領域を有する上皿と、操作ユニットを備えた遊技機であって、
前記操作ユニットは、所定の軸線まわりに回転操作可能で前記所定の軸線方向への押圧移動操作はされない円環形状部を有する回転操作部と、前記所定の軸線を含む位置に設けられて回転操作不能な非回転部を含み、
前記回転操作部を前記所定の軸線方向から見たときの前記回転操作部の外周縁の最大幅は、前記貯留領域の前後方向の最大寸法よりも大きいとされており、
前記回転操作部の操作を要求する要求演出を実行可能であり、
前記回転操作部を所定の方向へ回転させたとき、当該所定の方向とは反対の回転方向への力の付与が可能であり、
前記所定の方向とは反対の回転方向への力の付与とは別に、振動を発生させることが可能であり、
前記所定の方向とは反対の回転方向への力の付与と前記振動の発生は異なる手段で行われ、
前記回転操作部を前記所定の軸線方向から見たときの前記回転操作部の面に、途切れることなく同一態様の装飾だけが施されており、前記回転操作部は、前記外周縁に連続してその裏側に遊技者の手が届く空間が形成されているところに外周裏側部が位置し、
前記回転操作部の前記外周縁と隣接した位置であって前記遊技機を正面視して該回転操作部の奥側の所定位置に前記回転操作部とは別パーツの特定部材が配置されていることにより、該外周裏側部のうち該回転操作部と該特定部材とが隣接する部分は該回転操作部と該特定部材とが隣接していない部分よりも遊技者の手が触れにくくなっており、
遊技者が前記非回転部に触れているか否かにかかわらず前記外周裏側部および前記非回転部に前記振動が伝わるものであり、
前記非回転部は、前記回転操作部を前記所定の軸線方向からみたときに、前記回転操作部よりも手前側にある手前側非回転部と前記回転操作部よりも奥側にある奥側非回転部とがあり、前記所定の軸線方向において前記奥側非回転部の長さが前記手前側非回転部の長さよりも長い
ことを特徴とする。
また、本発明とは、別の発明として、以下の手段を参考的に開示する。
手段１：遊技機において、
「遊技が行われる遊技領域と、
該遊技領域の外周を区画している枠状の前構成部材と、
該前鋼製部材の後側に取付けられており、前記遊技領域の後端を区画している平板状の遊技パネルと、
該遊技パネルに取付けられているユニットベースと、
該ユニットベースに正面視前記遊技領域内の周縁付近の退避位置と中央付近の出現位置との間で移動可能且つ前方から視認可能に取付けられており、所定の装飾が形成されているメイン装飾体と、
該メイン装飾体が前記退避位置から前記出現位置へ移動すると、正面視において互いに重なっている第一位置から互いに移動して重なりが解消されている第二位置へ移動するように前記メイン装飾体に取付けられており、所定の装飾が形成されている複数のサブ装飾体と、
前記ユニットベースに取付けられており、前記遊技領域内において遊技が行われることで変化する遊技状態に応じて、前記メイン装飾体を前記退避位置と前記出現位置との間で移動させる駆動モータと、
前記メイン装飾体及び複数の前記サブ装飾体よりも後方で正面視前記遊技領域内の中央に配置されており、演出画像を表示可能な演出表示手段と
を具備している」ものであることを特徴とする。
【手続補正５】
【補正対象書類名】明細書
【補正対象項目名】００９４
【補正方法】変更
【補正の内容】
【００９４】
本発明によれば、上皿および下皿近傍に好適な構成を備えた遊技機を提供することができる。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
遊技媒体が流下可能な遊技領域を有する遊技盤を具備する遊技機において、
前記遊技盤よりも前方に設けられ、前記遊技領域を視認可能とするための窓部を有する開閉可能な開閉部と、
前記開閉部の前側に位置し且つ前記窓部よりも前方に突出するように配置される前面装飾部と、
所定の報知を行う報知手段と、
前記報知手段による報知を制御する制御手段と、
を備え、
前記前面装飾部は、前記開閉部に形成される配置領域に対して着脱自在であり、該配置領域に対して装着する際に工具を必要としない工具レスの係止部によって係止されるものであり、
前記係止部は、所定の解除操作が行われることで外部から接触可能になるものであり、
前記制御手段は、
前記開閉部が閉鎖されており、且つ、前記配置領域から前記前面装飾部が離脱している場合には、前記報知手段により第１の報知を行う制御を実行可能であり、
前記第１の報知が行われているときに前記開閉部が開放状態になった場合には、前記報知手段により前記第１の報知とは異なる第２の報知を行う制御を実行可能であり、
前記第１の報知は、特定の発光部が通常とは異なる態様で発光する報知である
ことを特徴とする遊技機。
【請求項２】
遊技媒体が流下可能な遊技領域を有する遊技盤を具備する遊技機において、
前記遊技盤よりも前方に設けられ、前記遊技領域を視認可能とするための窓部を有する開閉可能な開閉部と、
前記開閉部の前側に位置し且つ前記窓部よりも前方に突出するように配置される前面装飾部と、
所定の報知を行う報知手段と、
前記報知手段による報知を制御する制御手段と、
を備え、
前記前面装飾部は、前記開閉部に形成される配置領域に対して着脱自在であり、該配置領域に対して装着する際に工具を必要としない工具レスの係止部によって係止されるものであり、
前記係止部は、所定の解除操作が行われることで外部から接触可能になるものであり、
前記制御手段は、
前記開閉部が閉鎖されており、且つ、前記配置領域から前記前面装飾部が離脱している場合には、前記報知手段により特定の報知を行う制御を実行可能であり、
前記特定の報知が行われているときに前記開閉部が開放状態になった場合にも、前記特定の報知を行う制御を実行可能であり、
前記特定の報知は、特定の発光部が通常とは異なる態様で発光する報知である
ことを特徴とする遊技機。
【手続補正２】
【補正対象書類名】明細書
【補正対象項目名】０００４
【補正方法】変更
【補正の内容】
【０００４】
従来の遊技機の前面装飾部は、複数本のビスで開閉部の前面側に取り付けられているため、前面装飾部の着脱に時間が掛かる。このため、前面装飾部を外して修理或は新品に交換する際の利便性が十分でなかった。
【手続補正３】
【補正対象書類名】明細書
【補正対象項目名】０００６
【補正方法】変更
【補正の内容】
【０００６】
本発明は、
遊技媒体が流下可能な遊技領域を有する遊技盤を具備する遊技機において、
前記遊技盤よりも前方に設けられ、前記遊技領域を視認可能とするための窓部を有する開閉可能な開閉部と、
前記開閉部の前側に位置し且つ前記窓部よりも前方に突出するように配置される前面装飾部と、
所定の報知を行う報知手段と、
前記報知手段による報知を制御する制御手段と、
を備え、
前記前面装飾部は、前記開閉部に形成される配置領域に対して着脱自在であり、該配置領域に対して装着する際に工具を必要としない工具レスの係止部によって係止されるものであり、
前記係止部は、所定の解除操作が行われることで外部から接触可能になるものであり、
前記制御手段は、
前記開閉部が閉鎖されており、且つ、前記配置領域から前記前面装飾部が離脱している場合には、前記報知手段により第１の報知を行う制御を実行可能であり、
前記第１の報知が行われているときに前記開閉部が開放状態になった場合には、前記報知手段により前記第１の報知とは異なる第２の報知を行う制御を実行可能であり、
前記第１の報知は、特定の発光部が通常とは異なる態様で発光する報知である
ことを特徴とする。
また、遊技媒体が流下可能な遊技領域を有する遊技盤を具備する遊技機において、
前記遊技盤よりも前方に設けられ、前記遊技領域を視認可能とするための窓部を有する開閉可能な開閉部と、
前記開閉部の前側に位置し且つ前記窓部よりも前方に突出するように配置される前面装飾部と、
所定の報知を行う報知手段と、
前記報知手段による報知を制御する制御手段と、
を備え、
前記前面装飾部は、前記開閉部に形成される配置領域に対して着脱自在であり、該配置領域に対して装着する際に工具を必要としない工具レスの係止部によって係止されるものであり、
前記係止部は、所定の解除操作が行われることで外部から接触可能になるものであり、
前記制御手段は、
前記開閉部が閉鎖されており、且つ、前記配置領域から前記前面装飾部が離脱している場合には、前記報知手段により特定の報知を行う制御を実行可能であり、
前記特定の報知が行われているときに前記開閉部が開放状態になった場合にも、前記特定の報知を行う制御を実行可能であり、
前記特定の報知は、特定の発光部が通常とは異なる態様で発光する報知である
を特徴とする。
また、本発明とは別の解決手段を以下に示す。
（解決手段１）
前面側を構成し、遊技領域を視認可能とするための窓部を有する開閉可能な開閉部と、
閉状態にある前記開閉部の所定部位の前側に位置し且つ前記窓部よりも前方に突出するように配置される前面装飾部と、を備えた遊技機であって、
前記前面装飾部は、前記開閉部の所定部位の前側にロックされた遊技可能状態から、所定の解除操作によって前記開閉部の所定部位の前側に位置しないメンテナンス状態に変化し得るように構成されていることを特徴とする遊技機。
【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
遊技者による操作対象とされる操作手段と、
判定を行う判定手段と、
前記判定手段による判定にて所定の結果が得られたことに基づいて遊技者に特典を付与しうる特典付与手段と、
前記操作手段を摸した摸画像表示が表示状態にあり且つ該摸画像表示として表現されている操作手段に対する操作受付が許容される摸画像受付許容期間を発生可能であり、該摸画像受付許容期間で前記操作受付がなされると、該操作受付がなされたことに基づいて受付後変化を実行可能な受付期間実行手段と
を備え、
前記摸画像受付許容期間として、前記操作受付が複数回許容される操作手段を摸した摸画像表示が少なくとも表示状態にある摸画像複数回許容期間が少なくとも用意されている遊技機であって、
前記摸画像複数回許容期間では、前記操作受付が複数回許容されており且つ前記摸画像表示として表現されている操作手段を操作した状態に維持し続けるだけで前記操作受付が複数回なされる場合と、前記操作受付が複数回許容されており且つ前記摸画像表示として表現されている操作手段を操作した状態に維持し続けても前記操作受付が複数回なされない場合とがあり、
前記摸画像複数回許容期間において、前記摸画像表示として表現されている操作手段を操作した状態に維持し続けても前記操作受付が複数回なされない条件下にある場合は、該操作手段に対して遊技者が複数回の操作を行うことによって前記操作受付が複数回なされたとしても、該操作受付がなされたことを契機として、それまで現れていた摸画像表示としての表示態様が変化することはないが、
前記摸画像複数回許容期間において、前記摸画像表示に対応する操作手段を操作した状態に維持し続けるだけで前記操作受付が複数回なされる条件下にある場合は、前記操作受付がなされたことを契機として、それまで現れていた摸画像表示としての表示態様が変化することがない場合と、それまで現れていた摸画像表示としての表示態様が変化する場合との両方があるようになっており、
さらに、
前記摸画像受付許容期間には、図柄変動が実行されるときに出力開始されうるＢＧＭである通常ＢＧＭが可聴出力されているなかで発生条件が満たされて発生する場合と、該通常ＢＧＭが非可聴の状態にされているなかで発生条件が満たされて発生する場合との両方がある期間が含まれるが、当該期間では、前記操作受付が複数回許容されており且つ前記摸画像表示として表現されている操作手段を操作した状態に維持し続けても前記操作受付が複数回なされないようになっており、
さらに、
前記摸画像受付許容期間が発生するよりも前に特定の前演出表示が表示される場合があり、該特定の前演出表示は、当該摸画像受付許容期間の発生タイミングを跨るかたちで表示可能とされ、
前記摸画像受付許容期間において前記特定の前演出表示が表示されているなかで前記操作受付がなされた場合、該操作受付がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下を抑制することが求められる。
【手続補正３】
【補正対象書類名】明細書
【補正対象項目名】０００７
【補正方法】変更
【補正の内容】
【０００７】
手段１：遊技者による操作対象とされる操作手段と、
判定を行う判定手段と、
前記判定手段による判定にて所定の結果が得られたことに基づいて遊技者に特典を付与しうる特典付与手段と、
前記操作手段を摸した摸画像表示が表示状態にあり且つ該摸画像表示として表現されている操作手段に対する操作受付が許容される摸画像受付許容期間を発生可能であり、該摸画像受付許容期間で前記操作受付がなされると、該操作受付がなされたことに基づいて受付後変化を実行可能な受付期間実行手段と
を備え、
前記摸画像受付許容期間として、前記操作受付が複数回許容される操作手段を摸した摸画像表示が少なくとも表示状態にある摸画像複数回許容期間が少なくとも用意されている遊技機であって、
前記摸画像複数回許容期間では、前記操作受付が複数回許容されており且つ前記摸画像表示として表現されている操作手段を操作した状態に維持し続けるだけで前記操作受付が複数回なされる場合と、前記操作受付が複数回許容されており且つ前記摸画像表示として表現されている操作手段を操作した状態に維持し続けても前記操作受付が複数回なされない場合とがあり、
前記摸画像複数回許容期間において、前記摸画像表示として表現されている操作手段を操作した状態に維持し続けても前記操作受付が複数回なされない条件下にある場合は、該操作手段に対して遊技者が複数回の操作を行うことによって前記操作受付が複数回なされたとしても、該操作受付がなされたことを契機として、それまで現れていた摸画像表示としての表示態様が変化することはないが、
前記摸画像複数回許容期間において、前記摸画像表示に対応する操作手段を操作した状態に維持し続けるだけで前記操作受付が複数回なされる条件下にある場合は、前記操作受付がなされたことを契機として、それまで現れていた摸画像表示としての表示態様が変化することがない場合と、それまで現れていた摸画像表示としての表示態様が変化する場合との両方があるようになっており、
さらに、
前記摸画像受付許容期間には、図柄変動が実行されるときに出力開始されうるＢＧＭである通常ＢＧＭが可聴出力されているなかで発生条件が満たされて発生する場合と、該通常ＢＧＭが非可聴の状態にされているなかで発生条件が満たされて発生する場合との両方がある期間が含まれるが、当該期間では、前記操作受付が複数回許容されており且つ前記摸画像表示として表現されている操作手段を操作した状態に維持し続けても前記操作受付が複数回なされないようになっており、
さらに、
前記摸画像受付許容期間が発生するよりも前に特定の前演出表示が表示される場合があり、該特定の前演出表示は、当該摸画像受付許容期間の発生タイミングを跨るかたちで表示可能とされ、
前記摸画像受付許容期間において前記特定の前演出表示が表示されているなかで前記操作受付がなされた場合、該操作受付がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正４】
【補正対象書類名】明細書
【補正対象項目名】０００８
【補正方法】削除
【補正の内容】
【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
遊技者による操作対象とされる操作手段と、
判定を行う判定手段と、
前記判定手段による判定の結果に応じた変動パターンを実行可能な図柄変動実行手段と、
前記操作手段を摸した画像表示である摸画像表示が表示状態にあり且つ該摸画像表示として表現されている操作手段に対する操作受付が許容される摸画像受付許容期間を発生可能であり、該摸画像受付許容期間で操作受付がなされると、該操作受付がなされたことに応じた受付後変化を実行可能な受付期間実行手段と
を備え、
前記摸画像表示は、前記操作手段を摸した画像表示として周期的変化が現れるように表示可能とされる遊技機であって、
前記摸画像受付許容期間は、所定種別のＢＧＭが可聴出力されているなかで発生しうる種別の摸画像受付許容期間と、所定種別のＢＧＭが可聴出力されているなかでは発生し得ない種別の摸画像受付許容期間とに分類可能であり、
前記所定種別のＢＧＭが可聴出力されているなかで発生しうる種別の摸画像受付許容期間は、当該期間内で前記操作受付が１回しか許容されない操作手段を摸した画像表示だけが前記摸画像表示として表示される特定種別の摸画像受付許容期間と、当該期間内で前記操作受付が複数回許容される操作手段を摸した画像表示が前記摸画像表示として少なくとも表示される特別種別の摸画像受付許容期間とにさらに分類可能であり、
前記特定種別の摸画像受付許容期間では、当該期間内で前記操作受付が１回しか許容されておらず且つ前記摸画像表示として表現されている操作手段が操作されて操作受付がなされると、該操作手段に対応する前記摸画像表示にそれまで現れていた前記周期的変化が、前記操作受付のなかったときのように継続される場合がなく、該操作受付を契機として非表示にされるようになっており、
前記特別種別の摸画像受付許容期間では、当該期間内で前記操作受付が複数回許容されており且つ前記摸画像表示として表現されている操作手段が操作されて操作受付がなされると、該操作手段に対応する前記摸画像表示にそれまで現れていた前記周期的変化が該操作受付を契機として非表示にされる場合と、該操作受付のなかったときのように継続される場合との両方があるようになっており、
前記特別種別の摸画像受付許容期間には、特別条件の成立に基づいて発生可能とされる摸画像受付許容期間が含まれており、該摸画像受付許容期間は、前記所定種別のＢＧＭが可聴出力されているなかで発生する場合と、前記所定種別のＢＧＭが非可聴の状態にされているなかで発生する場合との両方があるようになっており、
さらに、
前記摸画像受付許容期間で前記操作受付がなされたことに応じた前記受付後変化の１つとして前記摸画像表示が非表示の状態にされるときには、該摸画像表示が非表示の状態にされるまでの間に、該摸画像表示を視認し難くする特別態様が表示される場合があるが、該特別態様は、前記受付後変化が実行開始される時点では表示されておらず、その後、摸画像表示が非表示の状態にされるまでの間に表示開始する
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下を抑制することが求められる。
【手続補正３】
【補正対象書類名】明細書
【補正対象項目名】０００７
【補正方法】変更
【補正の内容】
【０００７】
手段１：遊技者による操作対象とされる操作手段と、
判定を行う判定手段と、
前記判定手段による判定の結果に応じた変動パターンを実行可能な図柄変動実行手段と、
前記操作手段を摸した画像表示である摸画像表示が表示状態にあり且つ該摸画像表示として表現されている操作手段に対する操作受付が許容される摸画像受付許容期間を発生可能であり、該摸画像受付許容期間で操作受付がなされると、該操作受付がなされたことに応じた受付後変化を実行可能な受付期間実行手段と
を備え、
前記摸画像表示は、前記操作手段を摸した画像表示として周期的変化が現れるように表示可能とされる遊技機であって、
前記摸画像受付許容期間は、所定種別のＢＧＭが可聴出力されているなかで発生しうる種別の摸画像受付許容期間と、所定種別のＢＧＭが可聴出力されているなかでは発生し得ない種別の摸画像受付許容期間とに分類可能であり、
前記所定種別のＢＧＭが可聴出力されているなかで発生しうる種別の摸画像受付許容期間は、当該期間内で前記操作受付が１回しか許容されない操作手段を摸した画像表示だけが前記摸画像表示として表示される特定種別の摸画像受付許容期間と、当該期間内で前記操作受付が複数回許容される操作手段を摸した画像表示が前記摸画像表示として少なくとも表示される特別種別の摸画像受付許容期間とにさらに分類可能であり、
前記特定種別の摸画像受付許容期間では、当該期間内で前記操作受付が１回しか許容されておらず且つ前記摸画像表示として表現されている操作手段が操作されて操作受付がなされると、該操作手段に対応する前記摸画像表示にそれまで現れていた前記周期的変化が、前記操作受付のなかったときのように継続される場合がなく、該操作受付を契機として非表示にされるようになっており、
前記特別種別の摸画像受付許容期間では、当該期間内で前記操作受付が複数回許容されており且つ前記摸画像表示として表現されている操作手段が操作されて操作受付がなされると、該操作手段に対応する前記摸画像表示にそれまで現れていた前記周期的変化が該操作受付を契機として非表示にされる場合と、該操作受付のなかったときのように継続される場合との両方があるようになっており、
前記特別種別の摸画像受付許容期間には、特別条件の成立に基づいて発生可能とされる摸画像受付許容期間が含まれており、該摸画像受付許容期間は、前記所定種別のＢＧＭが可聴出力されているなかで発生する場合と、前記所定種別のＢＧＭが非可聴の状態にされているなかで発生する場合との両方があるようになっており、
さらに、
前記摸画像受付許容期間で前記操作受付がなされたことに応じた前記受付後変化の１つとして前記摸画像表示が非表示の状態にされるときには、該摸画像表示が非表示の状態にされるまでの間に、該摸画像表示を視認し難くする特別態様が表示される場合があるが、該特別態様は、前記受付後変化が実行開始される時点では表示されておらず、その後、摸画像表示が非表示の状態にされるまでの間に表示開始する
ことを特徴とする遊技機。
【手続補正４】
【補正対象書類名】明細書
【補正対象項目名】０００８
【補正方法】削除
【補正の内容】
【手続補正書】
【提出日】令和2年12月2日(2020.12.2)
【手続補正１】
【補正対象書類名】明細書
【補正対象項目名】０００１
【補正方法】変更
【補正の内容】
【０００１】
本発明は、所定条件の成立に基づきゲームを実行可能な遊技機に関する。
【手続補正２】
【補正対象書類名】明細書
【補正対象項目名】０００２
【補正方法】変更
【補正の内容】
【０００２】
所定条件の成立に基づきゲームを実行し、当該ゲームの結果が特別結果となった場合に、遊技者に遊技価値を付与可能な遊技機が知られている。このような遊技機において、特別結果となる確率設定値を選択する機能を備えた遊技機が知られている。この遊技機では、確率設定値の選択を行うことによりＲＡＭの情報が初期化されるようになっている。
【手続補正３】
【補正対象書類名】明細書
【補正対象項目名】０００３
【補正方法】変更
【補正の内容】
【０００３】
【特許文献１】特開２０１３−４２８７１号公報
【手続補正４】
【補正対象書類名】明細書
【補正対象項目名】０００４
【補正方法】変更
【補正の内容】
【０００４】
しかしながら、ＲＡＭの情報が初期化されることによりそれまでの遊技に関する情報がすべて失われてしまうため、確率設定値の設定の前後で情報の継続した使用ができないという不都合があった。本発明の目的は、確率設定値の設定に伴う不都合を防止することである。
【手続補正５】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行可能な遊技機において、
遊技の制御を行う制御手段と、
前記ゲームの抽選に用いる確率値が割り当てられた確率設定値を設定可能とする設定手段と、
前記確率設定値に関する表示と、当該遊技機の性能に関する表示と、を択一的に表示可能な表示手段と、を備え、
前記制御手段は、
電源遮断状態でも記憶された情報を保持可能な記憶手段と、
電源の投入時に前記記憶手段に記憶されている情報の正当性判定を行う正当性判定手段と、を備え、
前記性能に関する表示に係る情報が記憶されている領域を前記正当性判定の対象に含めないことを特徴とする。
【手続補正６】
【補正対象書類名】明細書
【補正対象項目名】０００６
【補正方法】変更
【補正の内容】
【０００６】
本発明によれば、確率設定値の設定に伴う不都合を防止することができる。
【手続補正７】
【補正対象書類名】特許請求の範囲
【補正対象項目名】全文
【補正方法】変更
【補正の内容】
【特許請求の範囲】
【請求項１】
所定条件の成立に基づきゲームを実行可能な遊技機において、
遊技の制御を行う制御手段と、
前記ゲームの抽選に用いる確率値が割り当てられた確率設定値を設定可能とする設定手段と、
前記確率設定値に関する表示と、当該遊技機の性能に関する表示と、を択一的に表示可能な表示手段と、を備え、
前記制御手段は、
電源遮断状態でも記憶された情報を保持可能な記憶手段と、
電源の投入時に前記記憶手段に記憶されている情報の正当性判定を行う正当性判定手段と、を備え、
前記性能に関する表示に係る情報が記憶されている領域を前記正当性判定の対象に含めないことを特徴とする遊技機。
【手続補正書】
【提出日】令和2年12月2日(2020.12.2)
【手続補正１】
【補正対象書類名】明細書
【補正対象項目名】０００１
【補正方法】変更
【補正の内容】
【０００１】
本発明は、所定条件の成立に基づきゲームを実行可能な遊技機に関する。
【手続補正２】
【補正対象書類名】明細書
【補正対象項目名】０００２
【補正方法】変更
【補正の内容】
【０００２】
所定条件の成立に基づきゲームを実行し、当該ゲームの結果が特別結果となった場合に、遊技者に遊技価値を付与可能な遊技機が知られている。このような遊技機において、特別結果となる確率設定値を選択する機能を備えた遊技機が知られている。この遊技機では、確率設定値の選択を行うことによりＲＡＭの情報が初期化されるようになっている。
【手続補正３】
【補正対象書類名】明細書
【補正対象項目名】０００３
【補正方法】変更
【補正の内容】
【０００３】
【特許文献１】特開２０１３−４２８７１号公報
【手続補正４】
【補正対象書類名】明細書
【補正対象項目名】０００４
【補正方法】変更
【補正の内容】
【０００４】
本発明の目的は、確率設定値の設定を効率良く行えるようにすることである。
【手続補正５】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行可能な遊技機において、
遊技の制御を行う制御手段と、
前記ゲームの抽選に用いる確率値が割り当てられた確率設定値を設定可能とする設定手段と、を備え、
前記制御手段は、
所定の第１条件を満たしている場合に前記確率設定値を設定可能な設定可能状態に移行可能であり、
所定の第２条件を満たしている場合に前記確率設定値を確認可能な設定確認状態に移行可能であることを特徴とする。
【手続補正６】
【補正対象書類名】明細書
【補正対象項目名】０００６
【補正方法】変更
【補正の内容】
【０００６】
本発明によれば、確率設定値の設定を効率良く行うことができる。
【手続補正７】
【補正対象書類名】特許請求の範囲
【補正対象項目名】全文
【補正方法】変更
【補正の内容】
【特許請求の範囲】
【請求項１】
所定条件の成立に基づきゲームを実行可能な遊技機において、
遊技の制御を行う制御手段と、
前記ゲームの抽選に用いる確率値が割り当てられた確率設定値を設定可能とする設定手段と、を備え、
前記制御手段は、
所定の第１条件を満たしている場合に前記確率設定値を設定可能な設定可能状態に移行可能であり、
所定の第２条件を満たしている場合に前記確率設定値を確認可能な設定確認状態に移行可能であることを特徴とする遊技機。
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
第１ユニットと、
前記第１ユニットに対して接続可能に構成され、当該第１ユニットから給電される第２ユニットと、
を備え、
前記第２ユニットは、予め定められた所定操作が行われた場合に、前記第１ユニットに対して接続または切り離しが可能になる、
ことを特徴とする遊技機。
【手続補正２】
【補正対象書類名】明細書
【補正対象項目名】０００６
【補正方法】変更
【補正の内容】
【０００６】
上記の目的を達成する本発明は、次のような遊技機として実現される。この遊技機（例えば、パチンコ遊技機１００）は、第１ユニット（例えば、遊技盤１１０）と、前記第１ユニット（例えば、遊技盤１１０）に対して接続可能に構成され、当該第１ユニット（例えば、遊技盤１１０）から給電される第２ユニット（例えば、収容部７００および可動体移動装置６００）と、を備え、前記第２ユニット（例えば、収容部７００および可動体移動装置６００）は、予め定められた所定操作が行われた場合に、前記第１ユニット（例えば、遊技盤１１０）に対して接続または切り離しが可能になる、ことを特徴とする遊技機（例えば、パチンコ遊技機１００）である。
また、上記の目的を達成する本発明は、次のような遊技機として実現される。この遊技機（例えば、パチンコ遊技機１００）は、第１ユニット（例えば、遊技盤１１０）と、前記第１ユニット（例えば、遊技盤１１０）に対して着脱可能に構成され、当該第１ユニット（例えば、遊技盤１１０）から給電される第２ユニット（例えば、収容部７００および可動体移動装置６００）と、を備え、前記第１ユニット（例えば、遊技盤１１０）と前記第２ユニット（例えば、収容部７００および可動体移動装置６００）との接続が所定操作を経て行われる場合、前記第１ユニット（例えば、遊技盤１１０）は、前記接続が行われる場合の給電の開始を、前記所定操作が行われたことを示す信号（例えば、検知センサ７１の検知信号）および前記第２ユニット（例えば、収容部７００および可動体移動装置６００）と接続していることを示す接続信号（例えば、接続監視信号）を基に行う、ことを特徴とする遊技機（例えば、パチンコ遊技機１００）である。
ここで、前記第１ユニット（例えば、遊技盤１１０）は、前記第２ユニット（例えば、収容部７００および可動体移動装置６００）への給電の一部を担うと共に電圧により電流を制御する制御部（例えば、ＦＥＴスイッチ）を持ち、前記制御部（例えば、ＦＥＴスイッチ）は、電圧が上昇または下降して所定値（例えば、３３．５Ｖ）に至った後に給電を開始することを特徴とすることができる。
また、この遊技機（例えば、パチンコ遊技機１００）は、第１ユニット（例えば、遊技盤１１０）と、前記第１ユニット（例えば、遊技盤１１０）に対して着脱可能に構成され、当該第１ユニット（例えば、遊技盤１１０）から給電される第２ユニット（例えば、収容部７００および可動体移動装置６００）と、を備え、前記第１ユニット（例えば、遊技盤１１０）と前記第２ユニット（例えば、収容部７００および可動体移動装置６００）との切離しが所定操作を経て行われる場合、前記第１ユニット（例えば、遊技盤１１０）は、前記切離しが行われる場合の給電の終了を、前記第２ユニット（例えば、収容部７００および可動体移動装置６００）と接続していることを示す接続信号（例えば、接続監視信号）の取得の有無にかかわらず、前記所定操作が行われたことを示す信号（例えば、検知センサ７１の検知信号）を基に行う、ことを特徴とする遊技機（例えば、パチンコ遊技機１００）である。
ここで、前記第１ユニット（例えば、遊技盤１１０）は、前記第２ユニット（例えば、収容部７００および可動体移動装置６００）への給電の一部を担うと共に電圧により電流を制御する制御部（例えば、ＦＥＴスイッチ）を持ち、前記制御部（例えば、ＦＥＴスイッチ）は、電圧が上昇または下降して所定値（例えば、３３．５Ｖ）に至った後に給電を終了することを特徴とすることができる。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
前面側に遊技媒体が流通する遊技領域が設けられる遊技パネルを備えた遊技機であって、
前記遊技パネルは前後に貫通している開口部を有し、
該開口部には、センター役物を備え、
該センター役物は、
前記開口部の下部に位置するステージ部と、
前記遊技パネルに沿って延出したフランジ部と、
前記遊技パネルよりも前方へ延出しており、前記開口部の内側への遊技媒体の侵入を阻止している周壁部と、を備え、
前記フランジ部は、前記遊技パネルに取付けられる取付部を有し、
前記センター役物は、前記取付部に設けられた取付孔を通して前記遊技パネルにネジ止めされるものであって、
前記ステージ部とは異なる部位に設けられた前記フランジ部の少なくとも一部は、前記取付部よりも前記開口部の内側に延長した延出領域部を有し、該延出領域部は、裏面側に前記遊技パネルが位置しない部位であり、前記延出領域部を透して後方の装飾部を視認可能であり、
前記センター役物は、前記周壁部と前記センター役物の後方に伸びたセンターベースと、前記周壁部の後端から略直交し前記遊技パネルに沿った方向に形成される前記フランジ部および前記延出領域部からなり、前記周壁部と前記センターベースと前記フランジ部および前記延出領域部は一体に樹脂成型され、
前記延出領域部は前記周壁部に略沿って設けられる
ことを特徴とする遊技機。
【手続補正２】
【補正対象書類名】明細書
【補正対象項目名】０００２
【補正方法】変更
【補正の内容】
【０００２】
パチンコ機等の遊技機として、前後に貫通している開口部を有する平板状のパネルと、開口部に沿った枠状でパネルの前面に取付けられるセンター役物と、を備え、センター役物に、遊技機のコンセプトに沿った立体的な装飾体が設けられているものが知られている（例えば、特許文献１）。この種の遊技機では、センター役物に設けられている立体的な装飾体により、パネルの後方設けられている装飾体、可動装飾体、演出表示装置、のような演出手段の周囲を装飾して、遊技機の見栄えを良くしている。
【手続補正３】
【補正対象書類名】明細書
【補正対象項目名】０００３
【補正方法】変更
【補正の内容】
【０００３】
しかしながら、特許文献１のような従来の遊技機では、センター役物に設けられている立体的な装飾体により、センター役物の枠内が狭められてしまい、後方に設けられている演出手段の見える範囲が狭くなることで、演出手段による演出効果を十分に発揮させられない問題があった。
【手続補正４】
【補正対象書類名】明細書
【補正対象項目名】０００４
【補正方法】変更
【補正の内容】
【０００４】
【特許文献１】特開２００８−２９５５４９号公報
【手続補正５】
【補正対象書類名】明細書
【補正対象項目名】０００５
【補正方法】変更
【補正の内容】
【０００５】
そこで、本発明は、上記の実情に鑑み、センター役物の後方の視認性を良くすることが可能な遊技機の提供を課題とするものである。
【手続補正６】
【補正対象書類名】明細書
【補正対象項目名】０００６
【補正方法】変更
【補正の内容】
【０００６】
手段：遊技機において、
「前面側に遊技媒体が流通する遊技領域が設けられる遊技パネルを備えた遊技機であって、
前記遊技パネルは前後に貫通している開口部を有し、
該開口部には、センター役物を備え、
該センター役物は、
前記開口部の下部に位置するステージ部と、
前記遊技パネルに沿って延出したフランジ部と、
前記遊技パネルよりも前方へ延出しており、前記開口部の内側への遊技媒体の侵入を阻止している周壁部と、を備え、
前記フランジ部は、前記遊技パネルに取付けられる取付部を有し、
前記センター役物は、前記取付部に設けられた取付孔を通して前記遊技パネルにネジ止めされるものであって、
前記ステージ部とは異なる部位に設けられた前記フランジ部の少なくとも一部は、前記取付部よりも前記開口部の内側に延長した延出領域部を有し、該延出領域部は、裏面側に前記遊技パネルが位置しない部位であり、前記延出領域部を透して後方の装飾部を視認可能であり、
前記センター役物は、前記周壁部と前記センター役物の後方に伸びたセンターベースと、前記周壁部の後端から略直交し前記遊技パネルに沿った方向に形成される前記フランジ部および前記延出領域部からなり、前記周壁部と前記センターベースと前記フランジ部および前記延出領域部は一体に樹脂成型され、
前記延出領域部は前記周壁部に略沿って設けられる」ものであることを特徴とする。
なお、本発明とは異なる別の発明として以下の発明を開示する。
手段１：遊技機において、
「遊技媒体が転動可能とされており、一方側から他方側へ向かって低くなるように傾斜している幅広の中央テーブルと、
該中央テーブルの傾斜方向に対して直交する方向の外側に設けられており、一方側から前記中央テーブルよりも低く他方側へ向かって低くなるように傾斜していると共に、一方側と他方側とが夫々前記中央テーブルと連通し、遊技媒体が供給される横テーブルと、
該横テーブルの他方側付近に設けられており、遊技媒体を一方側へ打撃可能な一定速度で回転している横回転体と、
前記中央テーブルの一方側の端部付近に設けられており、前記横回転体よりも遅い速度で回転して一方側における前記中央テーブルと前記横テーブルとの連通具合を変化させている中央回転体と、
前記中央テーブルの他方側の端部付近に設けられており、遊技媒体を受入可能に開口している複数の進入口と
を有した振分装置を具備している」ものであることを特徴とする。
【手続補正７】
【補正対象書類名】明細書
【補正対象項目名】０１１３
【補正方法】変更
【補正の内容】
【０１１３】
このように、本発明によれば、センター役物の後方の視認性を良くすることが可能な遊技機を提供することができる。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
ロボット真空掃除機の独立懸架装置であって、
ａ．ヒンジ部品であり、水平フランジ部及び垂直フランジ部を有するＬ字型ブラケットに取り付けられ、
ｂ．前記垂直フランジ部が、前記ロボット真空掃除機のホイールアセンブリに取り付けられたヒンジ部品と、
ｃ．前記水平フランジ部に連結されたばねと、
ｄ．前記垂直フランジ部に取り付けられ、そして前記垂直フランジ部から延びるピンと、
ｅ．保持部品であり、前記ロボット真空掃除機のホイール収納部内にあり、
ｆ．前記ピンとの嵌合形態と、前記ピンとの解除形態との間を移動可能である保持部品と、
を備える独立懸架装置。
【請求項２】
前記ホイールアセンブリが、前記ヒンジ部品を中心としておよそ１８０度回転可能である請求項１に記載の独立懸架装置。
【請求項３】
前記ばねが、板ばね、圧縮ばね、及びねじりばねのうちの１種である請求項１に記載の独立懸架装置。
【請求項４】
前記バンパーが、弾性材料から構成される請求項３に記載の独立懸架装置。
【請求項５】
前記水平フランジ部及び前記垂直フランジ部のうちの少なくとも１つに取り付けられた１つまたはそれ以上のバンパーを更に備える請求項１に記載の独立懸架装置。
【請求項６】
ロボット真空掃除機の独立懸架装置であって、
ａ．ヒンジ部品であり、水平フランジ部及び垂直フランジ部を有するＬ字型ブラケットに取り付けられ、
ｂ．前記垂直フランジ部が、前記ロボット真空掃除機のモータポッドに取り付けられ、該モータポッドには、前記ロボット真空掃除機の駆動モータ及びモータコントローラが収容されるヒンジ部品と、
ｃ．前記モータポッドに取り付けられたクリップと、
ｄ．サスペンションピンであり、前記ロボット真空掃除機のホイール収納部のばねホルスタ内にある２つのばね間に取り付けられ、
ｅ．前記モータポッドは、前記サスペンションピンが前記クリップに嵌め込まれない開位置と、前記サスペンションピンが前記クリップに嵌め込まれる閉位置との間において、前記ヒンジ部品を中心として回転可能であるサスペンションピンと、
を備える独立懸架装置。
【請求項７】
前記Ｌ字型ブラケットの前記水平フランジ部と前記垂直フランジ部との間には、ガセットが延在する請求項６に記載の独立懸架装置。
【請求項８】
前記２つのばねが、圧縮ばねである請求項６に記載の独立懸架装置。
【請求項９】
ホイールモータコントローラに接続するように構成されたレセプタクルを更に備える請求項６に記載の独立懸架装置。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
モータと、
前記モータによって回転する先端工具と、
前記先端工具の回転数を検出する回転検出手段と、
前記モータの回転を制御する制御部と、
前記モータの駆動、停止を切り替えるための操作部と、を備え、
前記制御部は、前記モータを停止するように前記操作部が操作された場合に、前記スイッチング素子をＰＷＭ制御することで前記モータに制動力を与えるブレーキ制御を実行するとともに、前記制動力を与え始めてから前記モータが停止するまでの過程における途中から前記ブレーキ制御にかかるデューティ比を徐々に小さくする、電動工具。
【請求項２】
前記制御部は、制動力を与え始めてから前記先端工具が停止するまでの期間の少なくとも一部において、前記先端工具の回転数が時間の経過と共に直線的に低下するように前記制動力を制御する、請求項１に記載の電動工具。
【請求項３】
前記回転検出手段は、前記モータの回転子の回転位置を検出する位置センサを含む、請求項１又は２に記載の電動工具。
【請求項４】
前記モータは、ブラシレスモータであり、
前記モータに電流を供給する、複数のスイッチング素子を含むインバータ回路を備え、
前記制御部は、前記インバータ回路に含まれる前記スイッチング素子を制御することで前記モータに電気制動力を与え、前記デューティ比を制御することで前記電気制動力を制御する、請求項１から３のいずれか一項に記載の電動工具。
【請求項５】
前記モータの回転子の回転を減速する減速部と、
前記減速部に接続され、前記回転子の回転軸と略直交する方向に伸びるスピンドルと、を備え、
前記先端工具は、前記スピンドルに取り付けられる、請求項１から４のいずれか一項に記載の電動工具。
【請求項６】
前記制御部は、前記デューティ比を一定にして前記制動力を前記モータへ与えたあとに、前記デューティ比を徐々に小さくする、請求項１から５のいずれか一項に記載の電動工具。
【手続補正２】
【補正対象書類名】明細書
【補正対象項目名】０００６
【補正方法】変更
【補正の内容】
【０００６】
本発明のある態様は、電動工具である。この電動工具は、
モータと、
前記モータによって回転する先端工具と、
前記先端工具の回転数を検出する回転検出手段と、
前記モータの回転を制御する制御部と、
前記モータの駆動、停止を切り替えるための操作部と、を備え、
前記制御部は、前記モータを停止するように前記操作部が操作された場合に、前記スイッチング素子をＰＷＭ制御することで前記モータに制動力を与えるブレーキ制御を実行するとともに、前記制動力を与え始めてから前記モータが停止するまでの過程における途中から前記ブレーキ制御にかかるデューティ比を徐々に小さくする。
【手続補正３】
【補正対象書類名】明細書
【補正対象項目名】０００９
【補正方法】変更
【補正の内容】
【０００９】
前記モータは、ブラシレスモータであり、
前記モータに電流を供給する、複数のスイッチング素子を含むインバータ回路を備え、
前記制御部は、前記インバータ回路に含まれる前記スイッチング素子を制御することで前記モータに電気制動力を与え、前記デューティ比を制御することで前記電気制動力を制御してもよい。
【手続補正４】
【補正対象書類名】明細書
【補正対象項目名】００１０
【補正方法】変更
【補正の内容】
【００１０】
前記モータの回転子の回転を減速する減速部と、
前記減速部に接続され、前記回転子の回転軸と略直交する方向に伸びるスピンドルと、を備え、
前記先端工具は、前記スピンドルに取り付けられてもよい。
前記制御部は、前記デューティ比を一定にして前記制動力を前記モータへ与えたあとに、前記デューティ比を徐々に小さくしてもよい。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
複数の図柄を変動表示可能な複数のリールと、複数の役の中から決定された当籤役に応じて前記複数のリールを用いた遊技の進行を制御する遊技制御手段と、を備える遊技機であって、
前記複数の役には、当籤役として決定されると第１の図柄の組合せを表示可能な第１特定役と、当籤役として決定されると第２の図柄の組合せを表示可能な第２特定役と、当籤役として決定されると第３の図柄の組合せを表示可能な第１所定役と、当籤役として決定されると第４の図柄の組合せを表示可能な第２所定役と、が含まれ、
前記複数のリールのそれぞれには、前記第１特定役に応じた前記第１の図柄の組合せを構成する第１図柄と、前記第２特定役に応じた前記第２の図柄の組合せを構成する第２図柄と、前記第１所定役に応じた前記第３の図柄の組合せを構成する第３図柄と、前記第２所定役に応じた前記第４の図柄の組合せを構成する第４図柄と、が描かれるとともに、
同じリールにおける前記第３図柄と前記第１図柄との間隔は、隣り合うリール間で一定間隔ずつ変化するように描かれ、また、同じリールにおける前記第４図柄と前記第２図柄との間隔は、隣り合うリール間で一定間隔ずつ変化するように描かれ、
前記図柄の変動が停止したときに前記第１又は前記第２の図柄の組合せが表示されると、特定遊技状態を開始可能な特定状態制御手段と、
前記第１特定役が当籤役として決定されると、前記第１の図柄の組合せが表示されるまで当該第１特定役を当籤役として持ち越し可能な持越手段と、
を更に備え、
前記遊技制御手段は、前記持越手段によって前記第１特定役が当籤役として持ち越されている遊技において前記第１所定役を当籤役として決定可能である
ことを特徴とする遊技機。
【手続補正２】
【補正対象書類名】明細書
【補正対象項目名】０００４
【補正方法】変更
【補正の内容】
【０００４】
また、このような遊技機として、例えば、特許文献１には、ボーナス役に応じた図柄の組合せが表示されると、遊技者にとって有利なボーナス遊技状態を開始する遊技機が開示されている。ところで、表示された図柄の組合せによってボーナス遊技状態を開始する遊技機では、遊技者は、ボーナス役に応じた図柄の組合せを狙って停止操作を行う必要があり、所謂目押し操作の苦手な遊技者は、ボーナス遊技状態を開始するまでに時間がかかってしまうという問題があった。
そこで、近年では、ボーナス役に応じた図柄の組合せを容易に表示可能な準備目を設ける遊技機も知られている。例えば、上述の遊技機では、「ＢＡＲ−ＢＡＲ−ドン１」という図柄の組合せが、「ドン１−ドン１−ドン１」というボーナス役に応じた図柄の組合せの準備目となっている。具体的には、遊技者は、準備目が表示された次遊技に、左のリールに図柄位置「３」の「ドン１」図柄を狙って停止操作を行い、その後、中のリール及び右のリールに対して一定のリズム（間隔）で停止操作を行うだけで、「ドン１−ドン１−ドン１」というボーナス役に応じた図柄の組合せを停止表示可能となっている。
【手続補正３】
【補正対象書類名】明細書
【補正対象項目名】０００５
【補正方法】変更
【補正の内容】
【０００５】
【特許文献１】特開２０１６−５２３５８号公報
【手続補正４】
【補正対象書類名】明細書
【補正対象項目名】０００６
【補正方法】変更
【補正の内容】
【０００６】
このような遊技機によれば、事前に準備目を用意しておき、次遊技で第１停止のみを狙い、第２停止及び第３停止を一定のリズムで操作するだけで、任意の図柄の組合せ（例えば、ボーナス役に応じた図柄の組合せ）を表示させることができる（所謂、ボーナスの即揃え）ため、目押しするリールが一つのみになり、目押しが苦手な遊技者であっても有益である。しかしながら、従来の遊技機では、ボーナス役の当籤を察知した後の遊技において準備目を用意し、また、その次遊技でボーナスの即揃えを行うことになるため、準備が面倒であり即揃えを行う遊技者は多くなかった。
【手続補正５】
【補正対象書類名】明細書
【補正対象項目名】０００７
【補正方法】変更
【補正の内容】
【０００７】
本発明はこのような問題に鑑みてなされたものであり、図柄の組合せの即揃えを容易に実現可能な遊技機を提供することを目的とする。
【手続補正６】
【補正対象書類名】明細書
【補正対象項目名】０００８
【補正方法】変更
【補正の内容】
【０００８】
本発明に係る遊技機は、複数の図柄を変動表示可能な複数のリールと、複数の役の中から決定された当籤役に応じて前記複数のリールを用いた遊技の進行を制御する遊技制御手段と、を備える遊技機であって、前記複数の役には、当籤役として決定されると第１の図柄の組合せを表示可能な第１特定役と、当籤役として決定されると第２の図柄の組合せを表示可能な第２特定役と、当籤役として決定されると第３の図柄の組合せを表示可能な第１所定役と、当籤役として決定されると第４の図柄の組合せを表示可能な第２所定役と、が含まれ、前記複数のリールのそれぞれには、前記第１特定役に応じた前記第１の図柄の組合せを構成する第１図柄と、前記第２特定役に応じた前記第２の図柄の組合せを構成する第２図柄と、前記第１所定役に応じた前記第３の図柄の組合せを構成する第３図柄と、前記第２所定役に応じた前記第４の図柄の組合せを構成する第４図柄と、が描かれるとともに、同じリールにおける前記第３図柄と前記第１図柄との間隔は、隣り合うリール間で一定間隔ずつ変化するように描かれ、また、同じリールにおける前記第４図柄と前記第２図柄との間隔は、隣り合うリール間で一定間隔ずつ変化するように描かれ、前記図柄の変動が停止したときに前記第１又は前記第２の図柄の組合せが表示されると、特定遊技状態を開始可能な特定状態制御手段と、前記第１特定役が当籤役として決定されると、前記第１の図柄の組合せが表示されるまで当該第１特定役を当籤役として持ち越し可能な持越手段と、を更に備え、前記遊技制御手段は、前記持越手段によって前記第１特定役が当籤役として持ち越されている遊技において前記所定役を当籤役として決定可能であることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明によれば、図柄の組合せの即揃えを容易に実現することができる。